【事件の表示】
　平成　７年特許願第　３８４９１号「フォルダラックアイコン」拒絶査定不服審判事件〔平成　７年１１月１４日出願公開、特開平　７−３０２１８５〕について、次のとおり審決する。
【結　論】
　本件審判の請求は、成り立たない。
【理　由】
１．手続の経緯
　本願は、平成７年２月２７日付けの出願（パリ条約による優先権主張１９９４年３月１日、米国）であって、平成１４年１０月３１日付で拒絶査定がなされ（発送日同年１１月５日）、これに対し、平成１５年２月３日に拒絶査定に対する審判請求がなされるとともに、同年３月５日付で手続補正がなされたものである。
　
２．平成１５年３月５日付の手続補正についての補正却下の決定
［補正却下の決定の結論］
　平成１５年３月５日付の手続補正を却下する。
　
［理由］
（１）
　本件補正により、特許請求の範囲の請求項１は、
「ビデオディスプレイと、フォルダ内に編成されたファイルとを有するデータ処理システムにおいて、
　フォルダのためのアイコンを提供し、
　ビデオディスプレイ上に一グループのフォルダの表現を表示するためのフォルダのアイコンとは視覚的に異なる、ファイルラックアイコンを提供して、ビデオディスプレイ上の一グループのフォルダの表現が、そのグループのフォルダにおけるそれらフォルダのアイコンを表示する場合よりも、ビデオディスプレイの占有量が少なくなるようにし、上記ファイルラックアイコンは上記グループのフォルダの各々に対する個別の視覚的なファイルタブを含み、上記ファイルラックアイコンをビデオディスプレイ上に表示する際に、上記ビデオディスプレイ上の一グループのフォルダの上記表現によって上記個別の視覚的なファイルタブを見ることができるようにし、および
　ビデオディスプレイ上に上記ファイルラックアイコンを表示する、
ステップを備えたことを特徴とする方法。」と補正された。
　上記補正は、主に、請求項１に記載した発明を特定するために必要な事項である「グループの各フォルダーについて個々に区別できる視覚エレメント」について「グループのフォルダの各々に対する個別の視覚的なファイルタブ」とのより限定的な表現に変更し、「上記ファイルラックアイコンをビデオディスプレイ上に表示する際に、上記ビデオディスプレイ上の一グループのフォルダの上記表現によって上記個別の視覚的なファイルタブを見ることができるようにし」との限定を付加するものであって、特許法第１７条の２第３項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第４項において準用する同法第１２６条第３項の規定に適合するか）について以下に検討する。
　
（２）引用例
　原査定の拒絶の理由に引用された国際公開第９３／２２７３８号パンフレット（以下、「引用例１」という。）には、図面とともに、以下の事項が記載されている。
　
（ア）（パンフレット第４頁下から１行から第５頁２２行）
「SUMMAERY OF THE INVENTION
　The invention provides a method and apparatus for organizing information in a computer system, particularly one having a graphical user interface which includes graphical representations of documents. The apparatus of the invention displays graphical representations of a plurality of documents each of which may be manipulated by the user by positioning a system cursor over one of the graphical representation (e.g. Icon) and signalling to the computer to select the document for some operation specified by the user. In the method of the invention, the user creates a pile(or collection of documents) by positioning the cursor (for example, a pointer)  over one graphical representation of a document and then selecting that document and moving the graphical representation of the document (by moving the cursor) over to another graphical representation of another document and then depositing the first document on top of the second document in order to create a pile. The system will typically display a graphical representation of the pile which is different than the graphical representation of each document separately and after a pile is created, the original graphical representation of each document in the collection will typically no longer be displayed. A side-ways view of the graphical representation of the document replaces the original graphical representation of the document, and the side-ways view of the graphical representation is located in the graphical representation of the collection.」
　上記記載は、以下のような事項が記載されているものと認められる。
「発明の概要
　本発明はコンピュータ・システム、特に文書のグラフィック表現を含むグラフィックによるユーザー・インタフェースを有するコンピュータ・システムにおいて情報を編成する方法と装置に関する。本発明の装置はユーザーがグラフィック表現の一つ（例えばアイコン）の上にシステム・カーソルを位置決めし、コンピュータに対してユーザーが指定したある種の処理動作用に文書を選択するように信号を発することによって、それぞれがユーザーによって処理されることができる複数の文書のグラフィック表現を表示する。本発明の方法では、ユーザーは文書の一つのグラフィック表現の上にカーソル（例えばポインタ）を位置決めし、且つ（カーソルを動かすことによって）文書のグラフィック表現を別の文書の別のグラフィック表現の上に移動し、次にパイルを作成するために第１の文書を第２の文書の上に配することによって、パイル（すなわち文書のコレクション）を作成する。このシステムは代表的には各々の文書のグラフィック表現とは異なるパイルのグラフィック表現を別個に表示し、パイルが作成された後は、コレクション内の各文書のオリジナルのグラフィック表現は代表的にはもはや表示されない。文書のグラフィック表現の斜視図が文書のオリジナルのグラフィック表現に代わり、グラフィック表現の斜視図がコレクションのグラフィック表現内に配される。」
　
（イ）（パンフレット第１１頁１３〜１４行及び同第１２頁４〜８行並びに２６，２７行）
「The computer filing system of the present invention is part of the computer system shown in Figure 1.」、「As shown in Figure1, the display means 19 displays on its display screen 22 a  cursor 21 which is controlled by the cursor control device shown in Figure 1 as a mouse 16. The display means 19 may be any one of a variety of known display systems, such as a video (CRT) display monitor or a liquid crystal display.」、「The display means 19 of Figure 1 is shown displaying a pile 23 to the left of the cursor 21.」
　上記記載は、以下のような事項が記載されているものと認められる。
「本発明のコンピュータ・ファイリング・システムは図１に示したコンピュータ・システムの一部である。」、「図１に示すように、ディスプレー装置１９はそのディスプレー・スクリーン２２上に図１にマウス１６として示されたカーソル制御装置によって制御される。ディスプレー装置１９はビデオ（ＣＲＴ）ディスプレー・モニタ又は液晶ディスプレーのような多様な公知のディスプレー・システムの任意の一つでよい。」、「図１のディスプレー装置１９はカーソル２１の左にパイル２３を表示するものとして示されている。」
　
（ウ）（パンフレット第１４頁１〜１０行）
「The user interface of the present invention will now be described. Figures 2a, 2b, 2c and 2d show various embodiments of the graphical representations (e.g. icons) of the piles (or collections of documents) of the present invention. Figure 2a shows the preferred embodiment of a graphical representation for a pile; this graphical representation 50 includes a base 52 above which are a collection of documents 53. According to the preferred embodiment, each document in the pile represented by the graphical representation 50 may be a miniature of the first page of the actual document or an icon of the document type, a set of keywords related to the document or a set of attributes relating to the document.」
　上記記載は、以下のような事項が記載されているものと認められる。
「次に本発明のユーザー・インタフェースを説明する。図２ａ、２ｂ、２ｃ及び２ｄは本発明のパイル（すなわち文書のコレクション）のグラフィック表現（例えばアイコン）の種々の実施例を示している。図２ａはパイル用のグラフィック表現の実施例を示している。このグラフィック表現５０はその上部に文書５３が集積されているベース５２を備えている。実施例においては、グラフィック表現５０によって表示されるパイル内の各文書は実際の文書の最初のページのミニチュアであるか、又は、文書の形式のアイコン、文書に関連するキーワードの集合、又は文書に関連する属性の集合であってよい。」
　
（エ）（パンフレット第１５頁１〜４行）
「The graphical representation of a pile may be either a dynamic graphical representation, as in the preferred embodiment, or a static graphical representation, such as a typical icon used in computer systems having graphical interfaces.」
　上記記載は、以下のような事項が記載されているものと認められる。
「パイルのグラフィック表現は本実施例の場合のような動的グラフィック表現、又はグラフィック・インタフェースを有するコンピュータ・システムで使用される代表的なアイコンのような静的グラフィック表現の何れでもよい。」
　
（オ）（パンフレット第１７頁１６行から第１８頁２６行）
「Figure 3 shows the process of creating a new pile where the user performs the operation shown relative to group 101. In particular, the user positions the cursor 106 over one document 105, selects that document and then moves that document (drags the document) over to the document 103 such that the document 105 and/or cursor 106 is positioned over document 103. In this situation, document 105 will overlap document 103. Then the user signals to the computer to create a pile; in the preferred embodiment, this is accomplished by releasing the mouse's button which was depressed when the user selected the document 105. For a better understanding of the preferred embodiment of creating piles a more detailed description will now be provided.
　The user positions the cursor 106 by using a cursor control device such as a mouse 16. The cursor is positioned over the document 105 and then the user signals to the computer that the document is to be selected by activating a signal generation means, which in the preferred embodiment occurs by depressing the button on the mouse to indicate the selection. While keeping the button depressed (which continues to indicate to the computer that the document is still selected) the user then uses the cursor control device (e.g. mouse) to move the cursor and the document 105 such that it is moved over the document 103. When the cursor is positioned over document 103, the user releases the mouse button which changes the signal presented to the computer indicating that the document 105 is to be placed in a new pile with document103. In this manner, a new pile is created having documents 103 and 105. Upon releasing the mouse's button when the cursor 106 is over document 103, the computer is thereby instructed to create a new pile, and a display of the computer reveals an animation indicating the process of creating a new pile. As shown in group 110, the animation by the computer includes a step where document 103 is rotated and slightly inclined while document 105 begins to be rotated and placed downwardly on top of document 103. At the end of the animation by the computer system, the pile shown in group 112 results containing documents 105 and documents 103 both of which are on top of the base 114. Typically, the separate graphical representations of documents 103 and 105 will disappear from the screen leaving the new pile on the screen. In the filing system of the computer, one way of filing documents into a pile includes placing documents 103 and 105 in a subdirectory which is designated as a type of subdirectory which is similar to the subdirectory that a folder represents.」
　上記記載は、以下のような事項が記載されているものと認められる。
「図３はユーザーが群１０１に対して図示した処理動作を実行する、新たなパイルの作成プロセスを示している。より詳細に説明すると、ユーザーは一つの文書１０５の上方にカーソル１０６を位置決めしてその文書を選択し、次に、文書１０５及びカーソル１０６の双方又は一方が文書１０３の上方に位置するように、文書１０５を文書１０３の上方に移動する。（文書を引きずる）この状態で、文書１０５は文書１０３に重なる。次にユーザーはコンピュータに対してパイルを作成するように信号を送る。実施例では、これはユーザーが文書１０５を選択したときに押されたマウスのボタンを離すことによって行われる。パイル作成の実施例をより明解に理解するために、より詳細に説明する。
　ユーザーはマウス１６のようなカーソル制御装置を用いてカーソル１０６の位置決めを行う。カーソルは文書１０５の上方に配され、次にユーザーは信号発生装置を起動することによって、コンピュータに対して文書が選択されるべきである旨の信号を送る。前記の起動は実施例では選択を示すためにマウス上のボタンを押すことによって行われる。ボタンを押した状態を保ちつつ、（この状態はコンピュータに対して文書選択が未だ成されていることを示すために継続される。）次にユーザーはカーソル制御装置（例えばマウス）を用いてカーソルと文書１０５を移動させ、文書１０５が文書１０３の上方で重なるようにする。カーソルが文書１０３の上方に配されると、ユーザーはマウスのボタンを離し、それによってコンピュータに送られる信号が変化して、文書１０５が文書１０３と共に新たなパイル内に配されるべきであることを指示する。このようにして、文書１０３と１０５を有する新たなパイルが作成される。カーソル１０６が文書１０３の上方にある時にマウスのボタンを離すことによって、コンピュータには新たなパイルを作成するべき旨が命令され、コンピュータのディスプレーによって新たなパイルの作成プロセスを示すアニメーションが明示される。群１１０に示すように、コンピュータによるアニメーションには文書１０３が回転され、僅かに傾けられ、一方、文書１０５は回転し始め、文書１０３の上部へと下方に置かれる段階を含んでいる。コンピュータ・システムによるアニメーションの終了時に、双方がベース１１４上にある文書１０５と１０３を含む群１１２内に示したパイルが生ずる。代表的には、文書１０３と１０５の別個のグラフィック表現はスクリーンに新たなパイルを残してスクリーンから消える。コンピュータのファイリング・システムにおいて、文書をパイルにファイルする方法の一つには、フォルダーが表すサブディレクトリと同様であるサブディレクトリの種類として指定されたサブディレクトリ内に文書１０３と１０５を配する方法が含まれている。」
　
（カ）（パンフレット第２４頁３〜６行）
「It will be appreciated that if a folder is placed within a pile the proxy for the folder may itself be the icon of the folder or may be a representation showing documentswithin the folder (e.g. an icon of a folder is displayed with smaller icons representing documents shown within the folder). 」
　上記記載は、以下のような事項が記載されているものと認められる。
「パイル内にフォルダーを配置する場合は、フォルダー用のプロキシ自体をフォルダーのアイコンとすることができ、又は、フォルダー内の文書を示す表現とすることができることが理解されよう。（例えば、フォルダーのアイコンはフォルダー内に示した文書を表すより小さいアイコンと共に表示される）。」
　
（キ）（パンフレット第３０頁下から１行から第３１頁２５行）
「In the embodiment shown in Figure 8a, the user obtains an alternate view of the pile by positioning the cursor 303 over the base 302 of the pile 301 and rapidly depresses and releases the mouse button twice, which causes the computer system to respond by making the pile 301 disappear and making a region of the display screen, such as a window 304, appear containing contents of the pile spread out in the manner shown in Figure 8a. Other methods for obtaining this alternate view will be appreciated by those in the art, particularly by referring to the art relating to graphical user interfaces for computer filing systems. For example, the user may select the pile and then select an Open command from a pull down menu 20. As shown in Figure 8a, graphical representations of documents 310, 311, folder 312, and documents 313, 314 and 315 are shown within region or window 304. According to the present invention, items in the pile are arranged in a grid within the window 304 and top to bottom order of the pile is preserved in a left to right format. The standard window operations are provided by window 304 and the computer's operating system; these standard window operations are well known and are available in graphical user interfaces with windows, such as the Macintosh Finder from Apple Computer, Inc. of Cupertino, California. Thus, for example the graphical representations of the documents or folders within the window 304 may be moved within the window or moved outside of the window, or a document such as 310 or 311 may be moved into folder 312, etc. The window 304 may be removed from the screen (closing the window) by positioning the cursor 303 over the region 305 shown in the upper left hand corner of the window 304 and by depressing and releasing the mouse button to activate the operation of closing the window which then causes the computer system to revert back to displaying the pile 301 as shown in Figure 8a.」
　上記記載は、以下のような事項が記載されているものと認められる。
「図８ａに示した実施例では、パイル３０１のベース３０２の上方にカーソル３０３を配し、マウス・ボタンを２度に亘って迅速に押して離すと、コンピュータ・システムがこれに応動して、パイル３０１を見えなくし、図８ａに示したように延展されたパイルの内容を含むウィンドウ３０４のようなディスプレー・スクリーンの領域が現れるようにすることによって、ユーザーはパイルを見ることができる。このような別の見かたを得る方法は、特にコンピュータ・ファイリング・システム用のグラフィック・ユーザー・インタフェースに関する論文を参照することによって専門家には理解されよう。例えば、ユーザーはパイルを選択し、次にプルダウン・メニュー２０から“開き″指令を選択できる。図８ａに示すように、文書３１０、３１１、フォルダー３１２、及び文書３１３、３１４及び３１５のグラフィック表現は領域、もしくはウィンドウ３０４内に示される。本発明に従って、パイル内の項目はウィンドウ３０４内に格子状に配列され、パイルの上下の順序は左から右の様式で保存される。標準型のウィンドウ処理動作はウィンドウ３０４と、コンピュータのオペレーティング・システムによって行われる。これらの標準型のウィンドウ処理動作は公知であり、カリフォルニア州カッパチーノのアップル・コンピュータ株式会社のマッキントッシュ・ファインダのようなウィンドウ付きのグラフィック・ユーザー・インタフェースを利用できる。このように、例えばウィンドウ３０４内の文書又はフォルダーのグラフィック表現をウィンドウ内部で、又はウィンドウの外側で移動させることができ、又は、３１０又は３１１のような文書をフォルダー３１２等の内部に移動できる。カーソル３０３をウィンドウ３０４の左上隅に示した領域３０５の上方に配し、且つマウス・ボタンを押して、離し、ウィンドウの閉鎖動作を起動させることによって、コンピュータ・システムが図８ａに示したようにパイル３０１の表示を再開するようにさせることによって、ウィンドウ３０４をスクリーンから除去することができる（″ウィンドウの閉鎖″）。」
　
　以上の引用例１の記載によれば、引用例１には以下の事項を含む発明（以下「引用例１発明」という。）が開示されていると認められる。
　
（ａ）引用例１の上記（ア）の「本発明はコンピュータ・システム、特に文書のグラフィック表現を含むグラフィックによるユーザー・インタフェースを有するコンピュータ・システムにおいて情報を編成する方法と装置に関する。」という記載から、引用例１発明は、グラフィックによるユーザー・インタフェースを有するコンピュータ・システムにおいて情報を編成する方法であると言え、さらに、上記（イ）の記載から、引用例１発明のコンピュータ・システムは、ビデオディスプレー・モニタを備えていると言える。また、上記（オ）の「コンピュータのファイリング・システムにおいて、文書をパイルにファイルする方法の一つには、フォルダーが表すサブディレクトリと同様であるサブディレクトリの種類として指定されたサブディレクトリ内に文書１０３と１０５を配する方法が含まれている。」という記載から、フォルダー内に文書を配していると言える。
　したがって、引用例１発明は、ビデオディスプレー・モニタを備え、フォルダー内に文書を配しているコンピュータ・システムにおいて情報を編成する方法であると認められる。
　
（ｂ）引用例１の上記（カ）の「パイル内にフォルダーを配置する場合は、フォルダー用のプロキシ自体をフォルダーのアイコンとすることができ」という記載から、引用例１発明のコンピュータ・システムにおいて情報を編成する方法では、フォルダーのためのアイコンを提供しているものと認められる。
　
（ｃ）引用例１の上記（ア）の「パイルを作成するために第１の文書を第２の文書の上に配することによって、パイル（すなわち文書のコレクション）を作成する。このシステムは代表的には各々の文書のグラフィック表現とは異なるパイルのグラフィック表現を別個に表示し」という記載、上記（ウ）の「グラフィック表現５０によって表示されるパイル内の各文書は実際の文書の最初のページのミニチュアであるか、又は、文書の形式のアイコン、文書に関連するキーワードの集合、又は文書に関連する属性の集合であってよい。」という記載、上記（エ）の「パイルのグラフィック表現は本実施例の場合のような動的グラフィック表現、又はグラフィック・インタフェースを有するコンピュータ・システムで使用される代表的なアイコンのような静的グラフィック表現の何れでもよい。」という記載、上記（カ）の「パイル内にフォルダーを配置する場合は、フォルダー用のプロキシ自体をフォルダーのアイコンとすることができ」という記載、上記（キ）及び図８ａの記載から、引用例１発明のコンピュータ・システムにおいて情報を編成する方法では、ビデオディスプレー・モニタ上に文書及びフォルダーのコレクションを表現するために、文書のアイコンやフォルダーのアイコンとは異なるグラフィック表現（アイコン）であるパイルを提供していると言える。
　
（ｄ）引用例１の上記（キ）及び図８ａの記載から、引用例１発明のコンピュータ・システムにおいて情報を編成する方法では、文書及びフォルダーのコレクションを表現するためのパイルのアイコンは、そのコレクションにおける文書及びフォルダーのアイコンを表示する場合よりも、ビデオディスプレー・モニタの占有量が少なくなっていることが認められる。
　
（ｅ）引用例１の上記（イ）には「ディスプレー装置１９はビデオ（ＣＲＴ）ディスプレー・モニタ又は液晶ディスプレーのような多様な公知のディスプレー・システムの任意の一つでよい。」及び「図１のディスプレー装置１９はカーソル２１の左にパイル２３を表示するものとして示されている。」と記載されているから、引用例１発明のコンピュータ・システムにおいて情報を編成する方法では、ビデオディスプレー・モニタ上にパイルのアイコンを表示するステップを備えているものと認められる。
　
　したがって、引用例１発明は、「ビデオディスプレー・モニタを備え、フォルダー内に文書を配しているコンピュータ・システムにおいて情報を編成する方法であって、
フォルダーのためのアイコンを提供し、
ビデオディスプレー・モニタ上に文書及びフォルダーのコレクションを表現するために、文書のアイコンやフォルダーのアイコンとは異なるグラフィック表現（アイコン）であるパイルを提供し、
文書及びフォルダーのコレクションを表現するためのパイルのアイコンは、そのコレクションにおける文書又はフォルダーのアイコンを表示する場合よりも、ビデオディスプレー・モニタの占有量が少なくなっており、
ビデオディスプレー・モニタ上にパイルのアイコンを表示するステップを備えている方法」と認めることができる。
　
（３）対比
　
　そこで、本願補正発明と引用例１発明とを比較すると、引用例１発明の「ビデオディスプレー・モニタ」は、本願補正発明の「ビデオディスプレイ」に、引用例１発明の「フォルダー内に文書を配している」は、本願補正発明の「フォルダ内に編成されたファイルとを有する」に、引用例１発明の「コンピュータ・システム」は、本願補正発明の「データ処理システム」に、それぞれ、相当し、引用例１発明の「パイルのアイコン」は、本願補正発明の「ファイルラックアイコン」に、引用例１発明の「文書及びフォルダーのコレクション」は、本願補正発明の「一グループのフォルダ」に、それぞれ対応している。
　そうすると、両者は、
「ビデオディスプレイと、フォルダ内に編成されたファイルとを有するデータ処理システムにおいて、
　フォルダのためのアイコンを提供し、
　ビデオディスプレイ上に一グループのフォルダ等の表現を表示するためのフォルダ等のアイコンとは視覚的に異なる、ファイルラックアイコンを提供して、ビデオディスプレイ上の一グループのフォルダ等の表現が、そのグループのフォルダ等におけるそれらフォルダ等のアイコンを表示する場合よりも、ビデオディスプレイの占有量が少なくなるようにし、
　ビデオディスプレイ上に上記ファイルラックアイコンを表示する、
ステップを備えたことを特徴とする方法。」の点で一致し、以下の点で一応相違している。
　
［相違点１］本願補正発明では、一グループのフォルダ等がフォルダで構成されているのに対し、引用例１発明では、一グループのフォルダ等が文書及びフォルダで構成されている点。
　
［相違点２］本願補正発明のファイルラックアイコンが「上記グループのフォルダの各々に対する個別の視覚的なファイルタブを含み」、「ビデオディスプレイ上に表示する際に、上記ビデオディスプレイ上の一グループのフォルダの上記表現によって上記個別の視覚的なファイルタブを見ることができるようにし」ているのに対し、引用例１発明のファイルラックアイコンでは、このようなファイルタブを備えていない点。
　
（４）判断
［相違点１］について
　引用例１発明において、一グループのフォルダ等を文書及びフォルダの混在で構成するか、フォルダのみで構成するかは、データ処理システムのユーザが任意に選択すべき使用態様に過ぎず、引用例１発明において、一グループのフォルダ等をフォルダのみで構成することは、当業者が設計上適宜なし得る程度のことにすぎないものである。
　
［相違点２］について
　引用例１発明と同様のグラフィカル・ユーザ・インターフェイスを用いたファイリングシステムの技術分野において、フォルダの集合をキャビネット内のドロア（本願補正発明のファイルラックアイコンに対応する）内に、ドロア内の個別のフォルダの各々に対する視覚的なフォルダタブを含んで、ドロアを表示すること、また、その際に、個別の視覚的なファイルタブを見ることができるように、ビデオディスプレイ上にドロアを表示する技術は、本願の優先日前に、周知の技術に過ぎない（例えば、特開平２−２３９３６９号公報の特に図６、あるいは、特開平３−２４４０７２号公報の特に図５を参照されたい。）から、引用例１発明のファイルラックアイコンの表示に際しても、当該周知のファイルタブ技術を採用して、上記相違点２の構成とすることは、当業者が適宜なし得た程度の事項に過ぎない。
　
　また、本願補正発明の効果についてみても、上記構成の採用に伴って、当然に予測される程度のものに過ぎず、格別顕著なものがあるとは認められない。
　
　したがって、本願補正発明は、引用例１に記載された発明及び周知技術に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第４項で準用する同法第１２６条第３項の規定に違反するものであり、同法第１５９条第１項で準用する同法第５３条第１項の規定により却下されるべきものである。
　
３．本願発明について
　平成１５年３月５日付の手続補正は上記のとおり却下されたので、本願の請求項１に係る発明（以下、「本願発明」という。）は，平成１４年５月２７日付手続補正書の特許請求の範囲の請求項１に記載された事項により特定される，以下のとおりのものである。
「ビデオディスプレイと、フォルダ内に編成されたファイルとを有するデータ処理システムにおいて、
　フォルダのためのアイコンを設け、
　フォルダのグループにおいてフォルダのアイコンを表示する場合よりも、ビデオディスプレイの占有量を少なくするやり方で、ビデオディスプレイ上にフォルダのグループの表現を表示するための、フォルダのアイコンと視覚的に異なるファイルラックアイコンを設け、該ファイルラックアイコンはグループの各フォルダーについて個々に区別できる視覚エレメントを含み、そして
　そのファイルラックアイコンをビデオディスプレイ上に表示する、
という段階を備えたことを特徴とする方法。」
　
　（１）引用例
　原査定の拒絶の理由に引用された引用例，及びその記載事項は，前記「２．（２）」に記載したとおりである。　
　
　（２）対比・判断
　本願発明は、主に、前記２．で検討した本願補正発明の「グループのフォルダの各々に対する個別の視覚的なファイルタブ」という表現をより概念的に広い表現である「グループの各フォルダーについて個々に区別できる視覚エレメント」に変更し、さらに、「上記ファイルラックアイコンをビデオディスプレイ上に表示する際に、上記ビデオディスプレイ上の一グループのフォルダの上記表現によって上記個別の視覚的なファイルタブを見ることができるようにし」との構成を省いたものである。
　そうすると，本願発明の構成要件をすべて含み、さらに他の構成要件を付加したものに相当する本願補正発明が、前記２．（４）に記載したとおり，引用例１及び周知技術に基づいて、当業者が容易に発明をすることができたものであるから，本願発明も同様の理由により、引用例１及び周知技術に基づいて、当業者が容易に発明をすることができたものである。　
　
　（３）むすび
　以上のとおり、本願発明は，引用例１及び周知技術に記載された発明に基づいて、当業者が容易に発明をすることができたものであるから、本願は、その余の請求項について論及するまでもなく、特許法第２９条２項の規定により特許を受けることができない。
　よって、結論のとおり審決する。